(57)【特許請求の範囲】
【請求項１】
ポンプ本体部と、該ポンプ本体部に着脱自在に接続されるとともにバルブを有するブロック部とを備えたポンプのバルブ交換に用いられるバルブ交換治具であって、
前記ポンプ本体部に取り付けられるとともに、前記ポンプ本体部からブロック部を取外す際の取外し方向にスライド移動自在な取付部と、
該取付部に設けられるとともに、該取付部とともにスライド移動して前記ブロック部を前記ポンプ本体部に取り付けられた状態から取り外されて離間した状態となるまで支持する支持部とを備えることを特徴とするバルブ交換治具。
【請求項２】
請求項１記載のバルブ交換治具において、
前記支持部が、前記ポンプ本体部から取外された前記ブロック部を回転自在に支持することを特徴とするバルブ交換治具。
【請求項３】
請求項２記載のバルブ交換治具において、前記ブロック部に固定されて用いられるレバー部と、
前記取付部もしくは前記支持部に設けられ、前記レバー部と着脱自在に係合する回転規制部と、を備え、
前記回転規制部が前記レバー部と係合することにより、前記レバー部と一体のブロック部の回転を規制することを特徴とするバルブ交換治具。
【発明の詳細な説明】
【０００１】
【発明の属する技術分野】
本発明は、ポンプのバルブを交換する際に用いられるバルブ交換治具に関する。
【０００２】
【従来の技術】
例えば、ウォータージェットを用いた杭の打設には、高圧水を発生させるためにプランジャーポンプ等の高圧送水ポンプが用いられる。ポンプの水として海や河川から汲み上げた水を利用するため、細砂や泥が混在している。そのため、ポンプのバルブは水に混在した細砂や泥によって摩耗し、ポンプ性能の低下を招く。
【０００３】
通常、上述のようなポンプにおいて、バルブはシリンダブロックに取り付けられているため、バルブを交換する際には、シリンダブロックごと取り出してバルブの交換を行い、再び、シリンダブロックを元の位置に戻す必要がある。
【０００４】
【発明が解決しようとする課題】
しかしながら、バルブが取り付けられているシリンダブロックは相当な重量がある。そのため、バルブの交換作業は、複数の作業員を必要とする上、作業員にかかる負担も大きい。また、時間も要するため、バルブの交換のために工事を長時間中断しなければならなかった。
【０００５】
本発明は、バルブの交換が容易なバルブ交換治具を提供することを目的とする。
【０００６】
【課題を解決するための手段】
上記の課題を解決するため、請求項１記載の発明は、例えば、図２等に示されるように、ポンプ本体部（具体的には、ポンプ本体１）と、該ポンプ本体部に着脱自在に接続されるとともにバルブ（具体的には、バルブＢ）を有するブロック部（具体的には、シリンダブロック２）とを備えたポンプ（具体的には、ポンプＰ）のバルブ交換に用いられるバルブ交換治具（具体的には、バルブ交換治具Ｊ）であって、前記ポンプ本体部に取り付けられるとともに、前記ポンプ本体部からブロック部を取外す際の取外し方向にスライド移動自在な取付部（具体的には、スライド部３１ａ）と、該取付部に設けられるとともに、該取付部とともにスライド移動して前記ブロック部を前記ポンプ本体部に取り付けられた状態から取り外されて離間した状態となるまで支持する支持部（具体的には、回転座３１ｂ、支持部３１ｃ）とを備えることを特徴とするバルブ交換治具。
【０００７】
請求項１記載の発明によれば、バルブ交換治具は、ポンプ本体部に取り付けられるとともに、該ポンプ本体部からブロック部を取外す際の取外し方向にスライド移動自在な取付部と、該取付部に設けられるとともに、該取付部とともにスライド移動してブロック部をポンプ本体部に取り付けられた状態から取り外されて離間した状態となるまで支持する支持部とを備えているので、バルブを交換する際に、ブロック部を作業がし易い位置まで容易に移動させることができる。また、人力やクレーンによってブロック部を支持する必要がないため、バルブを容易に交換することができる。従って、バルブを交換する際に必要な作業員も少なくて済み、作業員にかかる負担を軽減することができる。また、時間も短縮することができるので、工事の中断も軽減することができる。
【０００８】
請求項２記載の発明は、請求項１記載のバルブ交換治具（具体的には、バルブ交換治具Ｊ）において、前記支持部（具体的には、回転座３１ｂ、支持部３１ｃ）が、前記ポンプ本体部（具体的には、ポンプ本体１）から取外された前記ブロック部（具体的には、シリンダブロック２）を回転自在に支持することを特徴とするバルブ交換治具。
【０００９】
請求項２記載の発明によれば、支持部がポンプ本体部から取外されたブロック部を回転自在に支持するので、バルブを交換する際に、ブロック部を作業がし易い位置まで容易に回転移動させることができる。
【００１０】
請求項３記載の発明は、請求項２記載のバルブ交換治具（具体的には、バルブ交換治具Ｊ）において、前記ブロック部（具体的には、シリンダブロック２）に固定されて用いられるレバー部（具体的には、レバー部４）と、
前記取付部（具体的には、スライド部３１ａ）もしくは前記支持部（具体的には、回転座３１ｂ、支持部３１ｃ）に設けられ、前記レバー部と着脱自在に係合する回転規制部（具体的には、レバー係止部３１ｆ）と、を備え、
前記回転規制部が前記レバー部と係合することにより、前記レバー部と一体のブロック部の回転を規制することを特徴とするバルブ交換治具。
【００１１】
請求項３記載の発明によれば、バルブ交換治具は、請求項２と同様の効果を得ることができる。更にバルブ交換治具には、レバー部と、取付部もしくは支持部に設けられレバー部と着脱自在に係合することにより、レバー部と一体に回転自在なブロック部の回転を規制する回転規制部が設けられているので、ブロック部をポンプ本体部から取外した際に、レバー部と回転規制部との係合を解除しないかぎり、支持部に回転自在に支持されたブロック部が予期せぬ状態で回転しないようにすることができる。
【００１２】
【発明の実施の形態】
以下、図を参照して本発明を適用した実施の形態を詳細に説明する。
【００１３】
バルブ交換治具Ｊを説明する前に、まず、この例のバルブ交換治具Ｊに適用されるポンプＰを説明する。
なお、本実施の形態においては、ポンプＰは、海や河川から汲み上げた水を利用するプランジャーポンプであることとして説明する。ここで、プランジャーポンプとは、空間容積を周期的に変化させ、液体の吸い込み、吐出作用を行わせる容積形ポンプの一種であって、シリンダ内でプランジャーを往復運動させ、それに対応させて吸込管あるいは吐出管への流路をバルブにより開閉し、液体を吸い込み、吐き出させるものである。
【００１４】
図１（ａ）は、本発明の実施の形態における筐体Ａの外観を示した図であり、筐体Ａ内に備えつけて使用されるポンプＰを透視した状態で図示している。図１（ｂ）はポンプＰの主要構成を示す概略図である。
【００１５】
ポンプＰは、図示しないプランジャーと、内部でプランジャーが往復動するシリンダ１２と、前記プランジャーを駆動する駆動手段と、該駆動手段が収納されたケーシング１１とを有するポンプ本体１を備えるとともに、該ポンプ本体１のシリンダ１２の先端部に取り付けられるシリンダブロック２を備える。
【００１６】
前記ケーシング１１は、その前面部側に前記シリンダ１２を取り付けるためのシリンダ接合部１３が設けられ、該ケーシング１１のシリンダ接合部１３に左右に隣接して複数のシリンダ１２が接続されている。
また、前記ケーシング１１の前面部には、前記シリンダ１２同士の間と左右の端のシリンダ１２の側方とに、それぞれ上下一対のボルト１４、１４がシリンダ１２に沿って前方に延出するように配設されている。また、ボルト１４の配設位置は、円筒形のシリンダ１２を内接する正方形のほぼ四隅に当たる部分の近傍となっており、ボルト１４は上下二列に水平に並んで配置されている。
【００１７】
シリンダブロック２は、前記ケーシング１１の前面と対向する内面側に前記ケーシング１１に取り付けられたシリンダ１２に接続される図示しないシリンダ接合部を有する。そして、シリンダブロック本体２１は、シリンダ１２の一端部を閉塞するようになっているとともに、シリンダブロック２のシリンダ接合部の部分に、バルブＢが内蔵されており、シリンダブロック２のシリンダ１２に接続される側から前記バルブＢが着脱自在となっている。
【００１８】
また、シリンダブロック本体２１には、その内面側から外面側に前記ボルト１４が貫通するように複数のボルト孔２３が形成されている。そして、シリンダ１２が取り付けられた状態でポンプＰのボルト１４を前記シリンダブロック本体２１のボルト孔２３に貫通させるようにして、ケーシング１１にシリンダブロック２を取り付け、シリンダブロック２の外面側からボルト１４にナット２４を螺号させてシリンダブロック２を締結することにより、ケーシング１１とシリンダブロック２との間にシリンダ１２を挟み込んだ状態で、シリンダ１２とシリンダブロック２を接続することができるようになっている。
【００１９】
また、シリンダブロック本体２１の下部の左右両側には、それぞれ互いに同軸上に円盤部２２が設けられるとともに、該円盤部２２のすぐ内側の部分の外面の少なくとも下側部分が円盤部２２とほぼ同じ中心を有するとともに円盤部２２より径の小さな円弧状となっており、この部分が後述するバルブ交換治具Ｊの回転座３１ｂに支持されるようになっている。
また、前記シリンダブロック２の円盤部２２の側面には、後述するバルブ交換治具Ｊのレバー本体４１を固定するためのボルト孔２２ａが形成されている。
【００２０】
図２及び図３に示すように、この実施の形態のバルブ交換治具Ｊは、シリンダブロック２のポンプ本体１から取り外し方向（着脱方向）に沿って移動自在なスライド支持具３と、前記シリンダブロック２の円盤部２２に固定されるレバー部４とを備える。
【００２１】
前記スライド支持具３は、前記ポンプＰのボルト１４及びシリンダ１２部分の左右に配置される側板部３１と、これら側板部３１同士を繋ぐとともにスライド支持具３上にシリンダブロック２を載せた際に、シリンダブロック２の下部が当接する接続板３２とを備える。
【００２２】
そして、左右の側板部３１は、それぞれ、前記ポンプＰのボルト１４のうちの左右いずれかの対応する側の端部の上下一対ずつのボルト１４、１４に摺動自在に係合しているスライド部３１ａと、スライド部３１ａの下部からシリンダブロック２の下側に延出してシリンダブロック２を回転自在に支持する回転座３１ｂと、該回転座３１ｂからさらに前方に延出して後述するように回転して横になった状態のシリンダブロック本体２１の上部を支持する支持部３１ｃと、前記スライド部３１ａの外側の側面から前方に延出するように設けられ、後述するようにレバー部４と係合するレバー係止部３１ｆとを備える。
【００２３】
前記スライド部３１ａには、その内面側の前後二カ所に前記一対のボルト１４、１４と直交するように配置された板状のスライド係合部３１ｄが設けられ、スライド係合部３１ｄには、前記一対のボルト１４、１４がそれぞれ摺動自在に貫通するスライド孔３１ｅが形成されている。
【００２４】
前記回転座３１ｂは、スライド部３１ａから下方に延出するとともに、端のボルト１４より外側に設けられたスライド部３１ａからボルト１４の下側に回り込むように曲がって形成され、さらに前方に延出してシリンダ１２の先端部に取り付けられたシリンダブロック２の下に至るようになっている。
そして、回転座３１ｂは、シリンダブロック２の円盤部２２の内側の下面側に当接するとともに、回転座３１ｂの上側縁部が、シリンダブロック２の円盤部２２の内側の下面側に対応する円弧状に形成されており、シリンダブロック２をその上部がシリンダ１２から離れる方向に回転移動できるように回転自在に支持している。
【００２５】
前記支持部３１ｃは、回転座３１ｂの前部からさらに前方に延出するように形成され、シリンダブロック２をほぼ垂直に立った状態からほぼ水平に寝た状態に回転させた際に、水平に寝た状態のシリンダブロック本体２１の上部を支持してそれ以上シリンダブロック２を回転させないようになっている。なお、シリンダブロック２が水平に寝た状態とされ、シリンダブロック２のシリンダ接合部が上方を向くことにより、シリンダ接合部の内部のバルブＢを容易に交換できるようになっている。
【００２６】
レバー係止部３１ｆは、スライド部３１ａの外面に取り付けられるとともに、スライド部３１ａの外面からスライド部３１ａの前方に延出し、その先端部が外側に曲げられた状態の棒状の部材である。
レバー本体４１は、シリンダブロック２の円盤部２２のボルト孔２２ａの部分で、円盤部２２にボルト４４により締結されるとともに、シリンダブロック２が立った状態で、円盤部２２より上方に延出するように形成されている。そして、レバー本体４１の上端部には、円盤部２２に対してほぼ直角に外側に延出するように持ち手４２が形成されている。そして、持ち手４２は、シリンダブロック２が立った状態で、前記レバー係止部３１ｆの上述のように曲がった状態の先端部の前側に隣接して配置されるようになっている。
【００２７】
そして、持ち手４２には、鈎型の係止爪４３が回転自在に取り付けられ、該係止爪４３が前記レバー係止部３１ｆに係合してレバー係止部３１ｆとレバー部４の持ち手４２とが離れないようになった状態から、係止爪４３とレバー係止部３１ｆとの係合が解除された状態まで係止爪４３が回転するようになっている。
【００２８】
そして、係止爪４３がレバー係止部３１ｆの先端部に係合した状態では、シリンダブロック２と一体のレバー部４の回転が規制されることにより、回転座３１ｂ上に回転自在に載置されたシリンダブロック２の回転が規制され、シリンダブロック２をポンプ本体１から取り外しても係止爪４３とレバー係止部３１ｆとの係合を解除しない限り、シリンダブロック２が回転しないようになっている。
【００２９】
次に、図４を用いてバルブＢを交換する際の動作について説明する。
まず、ナット２４を全て取り外し、図４（ａ）に示すように、レバー係止部３１ｆおよび係止爪４３によって回転が係止された状態のレバー部４の持ち手４２を持ってスライド支持具３を前方に引き出す。スライド支持具３を前方に引き出したときの様子を図４（ｂ）に示す。このとき、スライド支持具３の内側に備えられたスライド係合部３１ｄのスライド孔３１ｅには、前記ポンプＰのボルト１４のうちの左右いずれかの対応する側の端部の上下一対ずつのボルト１４、１４が貫挿し、ポンプＰに着脱する方向に移動可能なように取り付けられているので、容易にシリンダブロック２を作業がし易い位置（即ち、前方）まで移動させることができる。また、人力やクレーンによってシリンダブロック２を支持する必要がないので、作業員にかかる負担を軽減することができる。
【００３０】
更に、シリンダブロック２の回転を規制するレバー係止部３１ｆおよび係止爪４３が設けられているので、スライド支持具３を前方に引き出した際に、レバー係止部３１ｆと、レバー部４の係止爪４３との係合を解除しないかぎり、シリンダブロック２が予期せぬ状態で回転しないようにすることができる。
【００３１】
次いで、レバー係止部３１ｆおよび係止爪４３によるレバー部４の回転の規制を解除し、持ち手４２を持ってレバー部４を前方に倒す。レバー部４を前方に倒したときの様子を図４（ｃ）に示す。このとき、レバー部４が前方に倒れるのに伴って、回転座３１ｂにおいてシリンダブロック２が回転し、シリンダブロック２が水平に寝た状態のシリンダブロック本体２１の上部が、支持部３１ｃによって支持されることにより、バルブ取付部２６が露出する。従って、シリンダブロック２を作業がし易い位置まで容易に回転移動させることができるので、重いシリンダブロック２を人力やクレーンによって持ち上げることなく、バルブＢを容易に出し入れすることができる。
【００３２】
そして、バルブ取付部２６が露出した状態で、バルブＢの交換を行う。その後、持ち手４２を持ってレバー部４をポンプ本体１側に戻す。このとき、レバー部４をポンプ本体１側に戻すのに伴って、回転座３１ｂにおいてシリンダブロック２の円盤部２２が回転し、シリンダブロック２がほぼ水平に寝た状態から、ほぼ垂直に立った状態に戻る。
【００３３】
そして、係止爪４３をレバー係止部３１ｆに係止することによって、レバー部４の回転を規制する。レバー係止部３１ｆおよび係止爪４３によって回転が規制された状態のレバー部４の持ち手４２を持ってポンプ本体１側に押すことにより、スライド支持具３を元の位置に戻す。
【００３４】
バルブ交換治具Ｊを上記のような構成とすることにより、バルブＢを交換する際に、シリンダブロック２を作業がし易い位置まで容易に回転移動もしくは移動させることができる。また、人力やクレーンによってシリンダブロック２を支持する必要がないため、バルブＢを容易に交換することができる。従って、バルブＢを交換する際に必要な作業員も少なくて済み、作業員にかかる負担を軽減することができる。また、時間も短縮することができるので、工事の中断も軽減することができる。
【００３５】
なお、本実施の形態においては、ポンプＰは、プランジャーポンプであることとして説明したが、他の種類のシリンダを備えた容積形ポンプであってもよい。また、海や河川から汲み上げた水を利用することとしたが、水以外の液体を利用するポンプや、真空ポンプのように気体を利用するポンプであってもよい。
また、シリンダを備えないポンプ、容積形ではないポンプ等のポンプであっても、バルブを備えるとともに、該バルブがポンプ本体に着脱自在なブロック状の部材に内蔵され、ポンプ本体部からブロック状の部材を取り外さないと、バルブが交換できない構成となっているならば、本発明のバルブ交換治具を適用することができる。
【００３６】
なお、本発明は上記の実施の形態例に限定されるものではなく、具体的な細部構造等についても適宜に変更可能であることは勿論である。
【００３７】
【発明の効果】
以上のように、本発明によれば、人力やクレーンによってシリンダブロックを支持する必要がないため、バルブを容易に交換することができる。従って、バルブを交換する際に必要な作業員も少なくて済み、作業員にかかる負担を軽減することができる。また、時間も短縮することができるので、工事の中断も軽減することができる。
【図面の簡単な説明】
【図１】本発明の実施の形態における筐体の外観およびポンプの主要構成を示す図である。
【図２】本発明の実施の形態におけるポンプの外観を示す図である。
【図３】本発明の実施の形態におけるポンプのスライド支持具を示す図である。
【図４】本発明の実施の形態におけるポンプからバルブを取り出す様子を示す図である。
【符号の説明】
Ｐ            ポンプ
１          ポンプ本体
１２    シリンダ
２          シリンダブロック
Ｂ      バルブ
Ｊ            バルブ交換治具
３          スライド支持具
３１      側板部
３１ａ  スライド部
３１ｂ  回転座
３１ｃ  支持部
４          レバー部
【図１】
0004660033.tif 000002
【図２】
0004660033.tif 000003
【図３】
0004660033.tif 000004
【図４】
0004660033.tif 000005